(57)【特許請求の範囲】
【請求項１】
光学ズームによるズーム撮影が可能であると共に再生時に撮影画像の一部をズーム表示することができる電子カメラにおいて、
光学ズームの倍率を変化させる光学ズーム操作手段と、
再生時に少なくとも前記撮影画像とズーム表示のためのズームエリア枠及び指示エリアとを表示する画像表示手段と、
前記撮影画像をそのまま表示する単純再生モードと前記撮影画像の一部をズーム表示するズーム再生モードとを切り替えるモード切替え手段と、
前記ズーム再生モード時には前記ズームエリア枠の内からズームを所望する指示エリアを指示するズーム位置指示手段と、
このズーム位置指示手段により指示された指示エリアを確定する確定手段と、
この確定手段により確定された前記撮影画像中の指示エリア内の画像を画像処理してズーム画像を生成する画像処理手段と、
前記単純再生モード時は前記撮影画像を前記画像表示手段に表示し、前記ズーム再生モード時には表示された撮影画像にズームエリア枠を重ね合せ且つ前記ズーム位置指示手段による指示エリアを識別可能にして前記画像表示手段に表示し、前記確定手段による確定後には画像処理手段により生成されたズーム画像を前記画像表示手段に表示する表示制御手段と、
再生時にあって前記光学ズーム操作手段を前記モード切替え手段及び確定手段として機能させるよう切替え制御する制御手段と、
を具備し、
前記光学ズーム操作手段は、光学ズームのテレ側への移動を指示するテレボタンと光学ズームのワイド側への移動を指示するワイドボタンとから構成され、
前記制御手段は、前記単純再生モードの場合に、前記テレボタンの操作によって、ズーム再生モードに移行し、ズーム再生モードの場合にあって前記テレボタンの操作によって指示された指定エリアのズーム画像を表示するように制御し、
前記制御手段は、更に、ズーム画像が表示されている場合に、前記ワイドボタンの操作によって、ズーム再生モードに移行し、ズーム再生モードの場合にあって前記ワイドボタンの操作によって、単純再生モードに移行するように制御する、
ことを特徴とする電子カメラ。
【発明の詳細な説明】
【０００１】
【発明の属する技術分野】
本発明は、光学ズームによるズーム撮影が可能であると共に、再生時に撮影画像の一部をズーム表示ができる電子カメラに関する。
【０００２】
【従来の技術】
撮影画像をデジタルデータのかたちで記録し、再生する電子カメラには、銀塩カメラ等でも行われている光学ズームによるズーム撮影の他に、再生時に、備えられた表示装置に撮影画像の一部をズーム表示することができるものがある。かかる機能を装備した電子カメラでは、操作者の所望により、被写体のズーム撮影と被写体の撮影画像のズーム表示との双方又はいずれか一方を行うことができ、撮影及び再生の多様化が図られる。
【０００３】
【発明が解決しようとする課題】
しかし、上述したズーム撮影と共にズーム表示を行うには、ズーム表示すべき部分の指定等のためのボタン等による操作部材を必要とする。このため、電子カメラは、多機能化の進展に伴って操作部材が増えて、カメラの小型化を阻害し、また操作の複雑化を招くことになる。
【０００４】
本発明の目的は、カメラの大型化を招くことなく、また簡単な操作にて、撮影画像の一部をズーム表示することが可能な電子カメラを提供することにある。
【０００５】
【課題を解決するための手段】
前記課題を解決し且つ目的を達成するために、本発明は、光学ズームによるズーム撮影が可能であると共に再生時に撮影画像の一部をズーム表示することができる電子カメラにおいて、
光学ズームの倍率を変化させる光学ズーム操作手段と、
再生時に少なくとも前記撮影画像とズーム表示のためのズームエリア枠及び指示エリアとを表示する画像表示手段と、
前記撮影画像をそのまま表示する単純再生モードと前記撮影画像の一部をズーム表示するズーム再生モードとを切り替えるモード切替え手段と、
前記ズーム再生モード時には前記ズームエリア枠の内からズームを所望する指示エリアを指示するズーム位置指示手段と、
このズーム位置指示手段により指示された指示エリアを確定する確定手段と、
この確定手段により確定された前記撮影画像中の指示エリア内の画像を画像処理してズーム画像を生成する画像処理手段と、
前記単純再生モード時は前記撮影画像を前記画像表示手段に表示し、前記ズーム再生モード時には表示された撮影画像にズームエリア枠を重ね合せ且つ前記ズーム位置指示手段による指示エリアを識別可能にして前記画像表示手段に表示し、前記確定手段による確定後には画像処理手段により生成されたズーム画像を前記画像表示手段に表示する表示制御手段と、
再生時にあって前記光学ズーム操作手段を前記モード切替え手段及び確定手段として機能させるよう切替え制御する制御手段と、
を具備し、
前記光学ズーム操作手段は、光学ズームのテレ側への移動を指示するテレボタンと光学ズームのワイド側への移動を指示するワイドボタンとから構成され、
前記制御手段は、前記単純再生モードの場合に、前記テレボタンの操作によって、ズーム再生モードに移行し、ズーム再生モードの場合にあって前記テレボタンの操作によって指示された指定エリアのズーム画像を表示するように制御し、
前記制御手段は、更に、ズーム画像が表示されている場合に、前記ワイドボタンの操作によって、ズーム再生モードに移行し、ズーム再生モードの場合にあって前記ワイドボタンの操作によって、単純再生モードに移行するように制御する、
ことを特徴とする。
【０００９】
本発明によれば、撮影画像の一部をズーム表示することを可能としつつ、再生時にあって前記光学ズーム操作手段を前記モード切替え手段及び確定手段として機能させるよう切替え制御することから、操作部材の兼用が行われることによって、カメラの大型化を招かずに、また簡単な操作でズーム再生を行うことができる。
【００１０】
【発明の実施の形態】
図１に示すように、本発明の一実施形態の電子カメラは、レンズバリア１を有し、撮影光学部１０に含まれる撮影レンズ１０Ａを外部に開放し、また閉止する。この撮影光学部１０により撮像された光学被写体像は、撮像部１１により電気信号として取り込まれる。この撮像部１１によるアナログ画像信号は、ＡＤＣ（アナログ・デジタル変換器）１２によりデジタル画像信号に変換される。
【００１１】
ＡＤＣ１２からのデジタル画像信号は、メモリ１３、枠表示回路１４、表示系１５、外部記録媒体１７対してデータ記録再生する外部記録系１６、画像処理部１８に送られる。
【００１２】
コントローラ１９は、撮影モードや再生モード等を設定するための制御指令を与えることができ、このため電源２８と、再生ボタン２１、シャッタボタン２２、ズームボタン２３、コマ選択ボタン２４、撮影条件等の設定等に供する他のボタン２５（２５ａ乃至２５f ）を含む操作部２０と、センサ２６，２７とを接続して、操作部２０からの操作に従って上述した各電気要素に制御指令を与えるようになっている。
【００１３】
ここで、再生ボタン２１は、再生モードが設定されている時、撮影画像を表示系１５にて表示するための指令を発するものである。シャッタボタン２２は、光学被写体像の撮像部１１における取り込みを指示するものである。
【００１４】
ズームボタン２３は、撮影モードが設定されている時に、ワイド又はテレによる光学ズーム撮影を行うため指示を与える。このため、ズームボタン２３は、複数の指令機能を兼用して有している。具体的には、ズームボタン２３は、そのレバーを一方に倒すとワイドボタン２３Ｗとして作動し、またレバーを他方に倒すとテレボタン２３Ｔとして作動するようになっている。
【００１５】
コマ選択ボタン２４は、ズーム表示すべきコマ（指示エリア）を選択するものである。図６の（a ）に示すように、再生モード時においては、液晶モニタ１０１の表示面１０１Ａ（図４）に撮影画像が表示されるが、図６の（ｂ）に示すように、後述するズームエリア枠１０１Ｂ及びコマ枠（指示エリア）１０１Ｃを表示したとき、コマ選択ボタン２４の進行ボタン２４Ｕ及び後退ボタン２４Ｄを操作することにより、該コマ枠１０１Ｃを、ズームエリア枠１０１Ｂ内で、符号１０３に示す方向に１コマずつ進行又は後退にて移動することができる。
【００１６】
操作部２０からの操作指令に従ってコントローラ１９が動作し、ＡＤＣ１２からのデジタル画像信号はメモリ１３に記憶される。このメモリ１３に記憶されたデジタル画像信号は、枠表示回路１４を介して表示系１５に与えられ撮影画像として表示され、また外部記録系１６に対し画像記録等が行われる。
【００１７】
図２及び図３に示すように、レンズバリア１及び撮影レンズ１０Ａは、本体１００の正面に設けられている。レンズバリア１は、撮影レンズ１０Ａを外部に開放する位置と撮影レンズ１０Ａを外部から閉止する位置との間を図示符号２００で示す方向に移動可能にして設けられている。
【００１８】
また、センサ２６，２７は、本体１００内に設けられ、レンズバリア開放位置及び閉止位置を検出するようになっている。センサ２６によりレンズバリア１がレンズバリア開放位置にあることを検出すると、該検出信号は、コントローラ１９に与えられ、電源２８を本カメラに供給して、システムを起動する。また、センサ２７によりレンズバリア１がレンズバリア閉止位置にあることを検出すると、該検出信号は、コントローラ１９に与えられ、電源２８の停止を行う。すなわち、通常において、電源のオン・オフは、レンズバリア１の開放検出と閉止検出とによりなされる。
【００１９】
一方、図４に示すように、本体１００の背面には、液晶モニタ１０１が設けられている。なお、図２乃至図３において、符号１０２はフラッシュを示し、符号１０４はファインダを示している。
【００２０】
本発明は、光学ズームによるズーム撮影が可能であると共に再生時に撮影画像の一部をズーム表示することができる電子カメラであり、かかる機能は、図５に示される流れ図に従って、レンズバリア１、コントローラ１９、再生ボタン２１、シャッタボタン２２、ズームボタン２３、コマ選択ボタン２４等の動作により実現される。
【００２１】
図５において、ステップＳ１にて、レンズバリア１が開放位置にあると、センサ２２からの開放検出信号がコントローラ１９に与えられ、ステップＳ２として、電源ＯＮとなる。電源ＯＮで、ステップＳ３にて撮影モードが設定され、シャッタボタン２２、ズームボタン２３及びボタン２５の操作により、撮影が可能である。
【００２２】
ここで撮影モードが設定され、シャッタボタン２２等を操作することにより、撮影が行われる。該撮影画像は外部記録媒体１７に画像信号として記憶される。この状態では撮影モードが設定されているが、ステップＳ４にて操作者が再生ボタン２１をダブルクリックすると、ステップＳ５として、再生モードに移行し、撮影された被写体像は表示系１５にて表示（再生）される。この再生モードに設定されているときに、ステップＳ６として、操作者が再生ボタン２１をクリックする又はシャッタボタン２１の半押しを行うと、再び撮影モードに戻る。
【００２３】
次に、ステップＳ６にて再生ボタン２１のクリックがなく再生モードが維持されているとき、ステップＳ７にて、操作者が、ズームボタン２３をテレ側に倒してテレボタン２３Ｔを作動すると、ステップＳ８にて、クローズアップ再生モードへの移行としてクローズアップ再生設定画面が表示される。ここで、クローズアップ再生モードに対して、通常の再生モードは、単純再生モードである。
【００２４】
このクローズアップ再生設定画面は、図６の（ｂ）に示すように、撮影画像に、ズームエリア枠１０１Ｂ及びズームエリア枠１０１Ｂ内で進退可能なコマ枠１０１Ｃを重畳したものである。ステップＳ９にて、ズームボタン２３のワイドボタン２３Ｗの操作が行われると、ステップＳ５に戻り、操作が行わなければ、ステップＳ１０に進む。
【００２５】
次にステップＳ１０にて、操作者は、コマ選択ボタン２４の進行ボタン２４Ｕ及び後退ボタン２４Ｄを操作することにより、該コマ枠１０１Ｃを、ズームエリア枠１０１Ｂ内で、符号１０３に示す方向に１コマずつ進行又は後退にて移動することができる。
【００２６】
そして、ステップＳ１１にて、操作者がズームボタン２３をテレ側に倒してテレボタン２３Ｔを作動するとズーム表示すべきコマ枠は確定され、該確定されたコマの画像は、画像処理部１８にてズーム処理され、該ズーム処理された画像は、図６の（Ｃ）に示すように、表示系１５の表示面１０１Ａ´にてクローズアップにて表示される（ステップＳ１２）。
【００２７】
次に、ステップＳ１３として、ズームボタン２３のワイドボタン２３Ｗの操作を一回行うと、ステップＳ８に戻り、クローズアップ再生設定画面が表示され、またワイドボタン２３Ｗの操作を二回行うと、ステップＳ９を経由してステップＳ５に戻り、単純再生モードに戻る。
【００２８】
一方、ステップＳ１にて、レンズバリア１が閉止位置にあると、センサ２３からの閉止検出信号がコントローラ１９に与えられ、ステップＳ１４として、非撮影モードが設定される。ここで、ステップＳ１５として、操作者が再生ボタン２１をシングルクリックすることにより、ステップＳ１６として電源ＯＮとなり、引き続きステップＳ１７として再生モードに移行する。なお、ステップＳ１５でクリック操作が無いと、ステップＳ１に戻る。
【００２９】
次に、ステップＳ１８にて、操作者がズームボタン２３をテレ側に倒してテレボタン２３Ｔを作動すると、ステップＳ１９としてクローズアップ再生設定画面が表示される。
【００３０】
次に、ステップＳ２０にて、操作者がズームボタン２３をワイド側に倒してワイドボタン２３Ｗを作動しないときには、ステップＳ２１に進む。ステップＳ２１として、ステップＳ１０と同様に、操作者によるコマ枠１０１Ｃの移動が可能となり、ステップＳ２２にて、操作者がズームボタン２３をテレ側に倒してテレボタン２３Ｔを作動するとズーム表示すべきコマ枠１０１Ｃは確定され、該確定されたコマの画像のズーム処理画像は、図６の（Ｃ）に示すように、表示系１５の表示面１０１Ａ´にてクローズアップにて表示される（ステップＳ２３）。なお、ステップＳ２０にて操作者がワイドボタン２３Ｗを作動するときは、ステップＳ１７に戻り、再生モードの最初に移行する。
【００３１】
上記の指示エリアの表示方法としては、コマ枠１０１Ｃのような枠表示の他に、指示エリアにマークを表示したり、指示エリアの色を変えて表示しても良い。
【００３２】
さらに、ステップＳ２４にて、操作者がズームボタン２３をワイド側に倒してワイドボタン２３Ｗを作動すると、ステップＳ１９に戻ってクローズアップ再生設定画面が表示され、ワイドボタン２３Ｗを作動しないで、再生ボタン２１をシングルクリックすると、ステップＳ２６として電源ＯＦＦとなる。この場合、ワイドボタン２３Ｗを作動しなく且つ再生ボタン２１も作動しないと、ステップＳ２３に戻り、ズーム処理画像のクローズアップ表示が行われる。
【００３３】
以上のように、本実施形態によれば、撮影画像のうちで所望の枠の部分をクローズアップ再生することができ、この場合に、再生モード時におけるズームボタン２３はクローズアップ再生モードと通常の再生モードへの切換と共に、ズーム表示すべきコマ枠の確定とに機能させるように制御しているので、スイッチやボタンの増加を招くことなく、また簡単な操作でズーム表示を行うことができる電子カメラを提供することができる。
【００３４】
【発明の効果】
以上説明したように、本発明によれば、光学ズームによるズーム撮影が可能であると共に、再生時に撮影画像の一部をズーム表示ができる電子カメラにおいて、
再生時にあって光学ズーム操作手段をモード切替え手段及び確定手段として機能させるよう切替え制御することにより、カメラの大型化を招かずに、また簡単な操作でズーム表示を行うことができる電子カメラを提供することができる。
【図面の簡単な説明】
【図１】本発明に係る電子カメラの一実施形態の構成を示すブロック図。
【図２】同実施形態における電子カメラのレンズバリアが開放した状態を正面側から見た斜視図。
【図３】同実施形態における電子カメラのレンズバリアが閉止した状態を正面側から見た斜視図。
【図４】同実施形態における電子カメラを背面側から見た斜視図。
【図５】同実施形態の動作を説明する流れ図。
【図６】同実施形態におけるズーム表示の形態をは示す図。
【符号の説明】
１…レンズバリア
１０…撮影光学部
１０Ａ…撮影レンズ
１１…撮像部
１２…ＡＤＣ（アナログ・デジタル変換器）
１３…メモリ
１４…枠表示回路
１５…表示系
１６…外部記録系
１８…画像処理回路
２９…コントローラ
２０…操作部
２１…再生ボタン
２２…シャッタボタン
２３…ズームボタン
２３Ｗ…ワイドボタン
２３Ｔ…テレボタン
２４…コマ選択ボタン
２４Ｕ…進行ボタン
２４Ｄ…後退ボタン
１００…本体
１０１…液晶モニタ
【図１】
0004073090.tif 000002
【図２】
0004073090.tif 000003
【図３】
0004073090.tif 000004
【図４】
0004073090.tif 000005
【図５】
0004073090.tif 000006
【図６】
0004073090.tif 000007